(57)【要約】【課題】ストップボタンの操作によって緊急停止ができないような事態が生じたときでも流体の供給（仕込）を緊急停止することができるようにする。【解決手段】供給する流体の量を設定する供給流量設定カウンタ部と、供給を開始するスタートボタンと、供給する流体の量を設定する供給流量設定カウンタ部の値を初期状態に戻すリセットボタンと、緊急時に流体の供給を停止するストップボタンを備え、定量装置により仕込運転中に、緊急停止操作が必要になった場合、緊急停止操作を行うストップボタンに加えて、緊急停止用操作部の冗長化のため、リセットボタンに緊急停止機能を割り付けて緊急停止操作を二重化する。【選択図】  図１
2017015574.tif 000002
【特許請求の範囲】
【請求項１】
供給する流体の量を設定する供給流量設定カウンタ部と、供給を開始するスタートボタンと、供給する流体の量を設定する供給流量設定カウンタ部の値を初期状態に戻すリセットボタンと、緊急時に流体の供給を停止するストップボタンを備える計数部と流量計本体で構成される定量装置において、
前記定量装置の仕込運転中に、緊急停止操作が必要になった場合、緊急停止操作を行うストップボタンに加えて、緊急停止用操作部の冗長化のため、リセットボタンに緊急停止機能を割り付けて緊急停止操作を二重化した
ことを特徴とする定量装置。
【請求項２】
請求項１に記載の発明において、
前記リセットボタンによる緊急停止が行われた場合、警報が発報される
ことを特徴とする定量装置。
【請求項３】
請求項２に記載の発明において、
前記警報発報中は、継続して仕込運転を行うことができないようにした
ことを特徴とする定量装置。
【請求項４】
請求項２に記載の発明において、
前記リセットボタンによる緊急停止が行われた場合、前記ストップボタンを操作することで前記警報を解除できるようにした
ことを特徴とする定量装置。
【請求項５】
請求項２に記載の発明において、
前記リセットボタンによる緊急停止が行われ前記警報が継続している場合、定量装置への電源の供給が遮断され、システムを再起動することで警報を解除する
ことを特徴とする定量装置。
【請求項６】
請求項５に記載の発明において、
前記システムを再起動し前記定量装置の電源を投入した後に、前記ストップボタンを操作し、該ストップボタンの操作が受け付けられた場合に、バルブの閉信号出力を行った後、仕込み運転が可能な状態へと移行する
ことを特徴とする定量装置。
【請求項７】
請求項１，２，３，４，５又は６に記載の発明において、
前記定量装置の仕込み運転中に、外部に設けられたスイッチを操作することにより、ＣＰＵを経由することなくバルブ閉信号を出力する
ことを特徴とする定量装置。
【請求項８】
供給する流体の量を設定する供給流量設定カウンタ部と、供給を開始するスタートボタンと、供給する流体の量を設定する供給流量設定カウンタ部の値を初期状態に戻すリセットボタンと、緊急時に流体の供給を停止するストップボタンを備える計数部と流量計本体で構成される定量装置において、
前期定量装置の警報発報状態において、パラメータ設定モードへ移行すると、警報発報時のパラメータを確認できる
ことを特徴とする定量装置。
【請求項９】
請求項８に記載の発明において、
前記ストップボタンの操作を行うことにより、仕込み可能な状態（初期状態）へ移行する
ことを特徴とする定量装置。
【発明の詳細な説明】
【技術分野】
【０００１】
本発明は、空気圧を制御して流体供給配管（流路）に設けられた定量弁の開閉を行う定量装置に関する。ここで、定量弁とは、空気信号（圧力）によるシリンダ内のピストンの押し引きによって開閉を行うことができるバルブを意味する。
【背景技術】
【０００２】
一般に、定量装置は、流量計に定量機能を付加したものであり、周知である。この定量装置は、定量設定手段によって予め定量値（定量装置の下流側に供給する流体量を設定し、スタートボタンを操作すると、流路に設けた定量弁が開放され流体が流れ始める。そして、定量装置は、流量計によって流量計を通過する流体の流量を計測し、定量値に達すると定量弁を閉止し、流体の流れを停止するよう作動するものである。
【０００３】
すなわち、定量装置は、流路である流体供給配管を介して下流側に供給する流体の供給量を設定する定量設定手段によって定量値を予め設定するようになっている。本発明の定量装置では定量値の設定は、定量設定手段である供給流量設定カウンタによってデジタル的に行われている。このように設定した定量値に基づいて流体が供給配管を介して供給される。この流体の供給配管による供給は、スタートボタンを操作することによって、流路に設けられた定量弁が開いて流体の供給を開始するようになっている。
【０００４】
また、定量装置は、スタートボタンの操作によって流体の供給が開始された後、流体の供給量を計測し、供給流量設定カウンタによって予め設定した定量値に達したときに、自動で定量弁を閉じ、これにより流体供給配管（流路）内の流体の流れが停止するようになっている。
すなわち、定量装置は、空気圧を制御して空気配管に設けられた切替弁の開閉を行い、定量弁を制御する構成となっている。
そして、この切替弁は、機械式弁機構である場合や電磁弁の場合がある。下記特許文献１に開示された定量装置においては、電磁弁が適用されている。
【０００５】
特許文献１に開示された定量装置では、計数部Ａ、定量弁制御部Ｂ、流量計（センサ）Ｃを有し、計数部Ａは、流量計（センサ）Ｃからの測定信号を増幅する増幅器３１と、液晶表示部１２と接続され、流量を計測し、かつ定量装置全体を制御するとともに、スタートボタン２１，ストップボタン２２からの計量開始、緊急計量停止などの操作により開閉信号ＳＶ及びＭＶを成生するＣＰＵ１１とを備えている。
スタートボタン２１が押下され、ＣＰＵ１１より開閉信号ＳＶが立ち上がると、電磁弁ｂ２のソレノイドＳ１にワンショットパルス信号ＳＶ１が印加され、電磁弁ｂ２の空気出力ＯＵＴ２に半開出力を生じ前記定量弁を半開し、計測を開始する。所定の量を計測すると、開閉信号ＭＶが立ち上がり、電磁弁ｂ１のソレノイドＳ３にワンショットパルス信号ＭＶ３が印加され、電磁弁ｂ１の空気出力ＯＵＴ１に全開出力を生じ、前記定量弁を全開する。
【０００６】
流量計Ｃが設定値より所定の量手前の流量を計測すると、開閉信号ＭＶが立ち下がり、ソレノイドＳ４にワンショットパルス信号ＭＶ４が印加され、電磁弁ｂ１の空気出力ＯＵＴ１の全開出力を閉じ、定量弁は半開状態に復帰する。設定値の流量を計測すると、開閉信号ＳＶが立ち下がり、ソレノイドＳ２にワンショットパルス信号ＳＶ２が印加され、電磁弁ｂ２の空気出力ＯＵＴ２の半開信号を閉じ、定量弁を全閉する。
定量弁は通常、閉弁時に動作遅れによって行過量（図３（Ｅ）のＥ１）を伴うものであるが、何らかの要因により定量弁が正常に全閉しない場合は、行過量は図３（Ｅ）のＥ２のようになる。
いま、何らかの要因により定量弁が正常に全閉しない場合は、ストップボタン２２を押下する。すると、ＣＰＵ１１より開閉信号ＭＶが立ち下がり、ソレノイドＳ４にワンショットパルス信号ＭＶ４が印加され、開閉信号ＳＶが立ち下がり、ソレノイドＳ２にワンショットパルス信号ＳＶ２が印加され、電磁弁ｂ２の空気出力ＯＵＴ２の半開信号を閉じ、定量弁を全閉する。
【先行技術文献】
【特許文献】
【０００７】
【特許文献１】特開２０００−２８４１３号公報
【発明の概要】
【発明が解決しようとする課題】
【０００８】
このような定量装置は、図４、図５に示す如き構成を有している。すなわち、図４において、引用符号１は定量装置で、この定量装置１は、流量計本体３と、この流量計本体３の軸方向に対して直交方向から流量計本体３に取り付けられる計数部４とを備えて構成されている。
定量装置１は、図４に示すように配管５の途中に取り付けられており、この配管５の内部を流れる被測定流体（図示せず）を計量して計数部４の内部で流量に係る演算をすることができるように構成されている。また、定量装置１は、演算により得られた流量を計数部４に設けたＬＣＤ表示部６に表示することができるように構成されている。
【０００９】
また、定量装置１は、計数部４と、計量室を有する流量計本体３にて構成され、流量計本体３は上流側フランジ９及び下流側フランジ１０とを備えて構成されている。
この計数部４には、図５に示す如く、定量値の設定と流路上に配置された流量計本体を通過した流体供給量をカウントする供給流量設定カウンタ部１２と、配管５の定量弁を開けて流体の供給を開始するスタートボタン１３と、供給流量設定カウンタのカウント値を初期状態に戻すリセットボタン１４と、緊急時に流体の供給を停止するストップボタン１５と、空気配管の空気圧を制御する切替弁（図示せず）と、定量装置を駆動させるための電池（図示せず）とが備わっている。供給流量設定カウンタ部１２は、ＬＣＤ表示部６とＣＰＵ（図示せず）と制御回路（図示せず）で構成されている。
【００１０】
このように構成される定量装置１は、供給流量設定カウンタ部１２によって定量値を設定すると、スタートボタン１３を押して配管５の定量弁を開放して流体の供給を開始する。すると、流体が配管５を通って移送される。この流体の流量は、配管５を通る際に流量計本体３によって計数化され、供給流量設定カウンタ部１２により、演算処理され、ＬＣＤ表示部６に表示される。
そして、スタートボタン１３の操作によって流体の供給を開始した後、流体を供給している最中（仕込計量中）に、何らかの不都合が生じ、緊急に流体の供給を停止する必要が生じたときは、ストップボタン１５を押して計量を緊急停止させる。
【００１１】
この緊急停止について、仕込計量中に何らかの異常が発生し、緊急的に定量弁２０を閉止する場合を例にとって図６に示すフローチャートを用いて説明する。
図６のステップ５０において、スタートボタン１３が操作され、ステップ５１において配管５の定量弁２０が開放される。すると、流体の供給（仕込）を開始し、流体の供給（仕込計量）が継続される。正常な仕込ではステップ５３において、流体の供給量（仕込量）が定量値まで達成したか否かを判定する。このステップ５３において流体の供給量（仕込計量）が設定した量まで到達したと判定すると、ステップ５４において、自動で定量弁２０を閉弁し、ステップ５５において、仕込が完了となる。
但し、ステップ５２において、流体の供給量（仕込量）が定量値に到達する前に、何らかの異常が発生し、緊急に流体の供給（仕込計量）を停止する、ストップボタン１５を操作して定量弁２０を閉弁し、システムを停止する。
【００１２】
このステップ５２において、緊急停止用のストップボタン１５が押された後、何もしないと、このまま緊急停止状態が継続し、システムが停止したままとなる。
次に、ステップ５０において、スタートボタン１３が押されたか否かを判定する。スタートボタン１３が押された場合、停止を解除し、仕込計量が再開される。
【００１３】
なお、スタートボタン１３が操作され、仕込計量が開始されると、リセットボタン１４は、何も機能しない状態となっている。
【００１４】
定量装置が健全である時は、パラメータ設定モードに移行することにより、ストップボタンにて個々のパラメータをローテーション表示できる。
【００１５】
このように、従来の定量装置１にあっては、流体の漏れやシステム異常が発生した場合に、システムを停止するには、ストップボタン１５を押して緊急停止する方法が取られている。
しかしながら、従来の定量装置１にあっては、例えば、計数部４内部において断線等何らかの理由で、ストップボタン１５が機能しなかった場合には、緊急停止することができないという問題点を有している。
例えば供給する流体が、化学薬品や石油類の場合、過充填の要因となる過大な定量値を誤って設定することによって、流体の溢れが生じた場合、又は、システム異常が発生した場合には、充填（流体の供給）を確実に停止（定量弁を閉止）させることが必要である。
ところが従来の定量装置１にあっては、３つ備わっている操作部（ストップボタン１５、リセットボタン１４、スタートボタン１３）のうち、ストップボタン１５が緊急停止用の操作部として備わっているだけであって、ストップボタン１５が故障している場合は、システムを停止させることができなかった。
また、ストップボタン１５が故障している場合は、パラメータ設定モードに移行しても、ＬＣＤ表示部６のパラメータ表示をローテーションすることができないため、そのときのパラメータ設定を確認することができなかった。
尚、パラメータ設定モードにおいては、スタートボタンとリセットボタンはパラメータ数値の設定、または、桁送りとして機能する。
【００１６】
本発明は、上記した事情に鑑みてなされたもので、流体の供給（仕込計量）中に、流体の漏れやシステム異常等によって流体の供給（仕込計量）を緊急停止する必要があるにも拘わらず、ストップボタンの操作によって緊急停止ができないような事態が生じたときでも流体の供給（仕込計量）を緊急停止することができる定量装置を提供することを目的としている。
【課題を解決するための手段】
【００１７】
上記課題を解決するためになされた請求項１に記載の定量装置は、供給する流体の量を設定する供給流量設定カウンタ部と、供給を開始するスタートボタンと、供給する流体の量を設定する供給流量設定カウンタ部の値を初期状態に戻すリセットボタンと、緊急時に流体の供給を停止するストップボタンを備える計数部と流量計本体で構成される定量装置において、前記定量装置の仕込計量中に、緊急停止操作が必要になった場合、緊急停止操作を行うストップボタンに加えて、緊急停止用操作部の冗長化のため、リセットボタンに緊急停止機能を割り付けて緊急停止操作を二重化したことを特徴としている。
【００１８】
上記課題を解決するためになされた請求項２に記載の定量装置は、請求項１に記載の定量装置において、前記リセットボタンによる緊急停止が行われた場合、警報が発報されることを特徴としている。
【００１９】
上記課題を解決するためになされた請求項３に記載の定量装置は、請求項２に記載の定量装置において、前記警報発報中は、計量の再開を行うことができないようにしたことを特徴としている。
【００２０】
上記課題を解決するためになされた請求項４に記載の定量装置は、請求項２に記載の定量装置において、前記リセットボタンによる緊急停止が行われた場合、前記ストップボタンを操作することで前記警報を解除できるようにしたことを特徴としている。
【００２１】
上記課題を解決するためになされた請求項５に記載の定量装置は、請求項２に記載の定量装置において、前記リセットボタンによる緊急停止が行われ前記警報が継続している場合、定量装置への電源の供給が遮断され、システムを再起動することで警報を解除することを特徴としている。
【００２２】
上記課題を解決するためになされた請求項６に記載の定量装置は、請求項５に記載の定量装置において、前記システムを再起動し前記定量装置の電源を投入した後に、前記ストップボタンを操作し、該ストップボタンの操作が受け付けられた場合に、バルブの閉信号出力を行った後、仕込計量が可能な状態へと移行することを特徴としている。
【００２３】
上記課題を解決するためになされた請求項７に記載の定量装置は、請求項１，２，３，４，５又は６に記載の定量装置において、前記定量装置の仕込計量中に、外部に設けられたスイッチを操作することにより、ＣＰＵを経由することなくバルブ閉信号を出力することを特徴としている。
【００２４】
上記課題を解決するためになされた請求項８に記載の定量装置は、供給する流体の量を設定する供給流量設定カウンタ部と、供給を開始するスタートボタンと、供給する流体の量を設定する供給流量設定カウンタ部の値を初期状態に戻すリセットボタンと、緊急時に流体の供給を停止するストップボタンを備える計数部と流量計本体で構成される定量装置において、前期定量装置の警報発報状態において、パラメータ設定モードへ移行すると、警報発報時のパラメータを確認できることを特徴としている。
【００２５】
上記課題を解決するためになされた請求項９に記載の定量装置は、請求項８に記載の定量装置において、前記ストップボタンの操作を行うことにより、仕込計量可能な状態（初期状態）へ移行することを特徴としている。
【発明の効果】
【００２６】
このような特徴を有する請求項１に記載の発明によれば、ストップボタンに異常があって作動しなくても、緊急停止機能をリセットボタンに割り付けているため、緊急停止用操作部の冗長化を図ることができる。
【００２７】
このような特徴を有する請求項２に記載の発明によれば、リセットボタンによる緊急停止が行われた場合、警報の発報によって緊急停止したことを周囲に知らせ、装置に異常がある（虞がある）ことをオペレータに認知させることができる。
【００２８】
このような特徴を有する請求項３に記載の発明によれば、リセットボタンによる緊急停止が行われ、警報の発報がされている最中は仕込計量再開することができないようにしてあるため、安全性を確保することができる。
【００２９】
このような特徴を有する請求項４に記載の発明によれば、リセットボタンによる緊急停止が行われ警報の発報がされた後は、ストップボタンを操作することで警報を解除できるようにしてあるため、ストップボタンの機能が回復しない限り仕込計量を再開することができないようになっており、高い安全性を確保することができる。
【００３０】
このような特徴を有する請求項５に記載の発明によれば、リセットボタンによる緊急停止が行われ警報が発報され警報が継続している場合、定量装置への電源の供給を遮断し、再び定量装置へ電源の供給が行われ、システムを再起動することで警報を解除するように構成してある。
【００３１】
このような特徴を有する請求項６に記載の発明によれば、システムを再起動し定量装置の電源を投入した後に、ストップボタンを操作し、ストップボタンの操作が受け付けられた場合に、バルブの閉信号出力を行った後、仕込計量が可能な状態へと移行するようになっているため、ストップボタンの機能が回復することによって仕込計量が可能な状態とすることができる。
【００３２】
このような特徴を有する請求項７に記載の発明によれば、定量装置の仕込計量中に、外部に設けられたスイッチを操作することにより、ＣＰＵを経由することなくバルブ閉信号を出力するようになっているため、ＣＰＵに異常が生じても仕込計量の緊急停止を行うことができる。
【００３３】
このような特徴を有する請求項８に記載の発明によれば、警報発報中にパラメータ設定モードへ移行すると、警報発報時のパラメータを確認できるようにしてあるため、異常発生（緊急停止）時の状態について容易に確認することができる。
【００３４】
このような特徴を有する請求項９に記載の発明によれば、定量装置のストップボタンの操作を行うことにより、仕込計量可能な状態（初期状態）へ移行することができるため、ストップボタンの機能が正常であればシステム復帰を行うことができる。
【図面の簡単な説明】
【００３５】
【図１】本発明の定量装置の第１の実施例を示す動作フローチャートである。
【図２】本発明の定量装置の第２の実施例を示す動作フローチャートである。
【図３】本発明が適用される定量装置と定量弁との配置状態を説明するための模式図である。
【図４】本発明が適用される定量装置の斜視図である。
【図５】本発明が適用される定量装置の正面図である。
【図６】従来の定量装置が仕込計量中に緊急停止した場合の処理フローチャートである。
【図７】パラメータ設定モード移行時のＬＣＤ表示遷移及び操作を示す図である。
【発明を実施するための形態】
【００３６】
定量装置は、前面の操作ボタンによって仕込量（定量値）を設定し、空気式定量弁と組み合わせることによって、スタートボタンを操作すると定量弁が開き液体が流れ、設定した仕込量に達すると自動的に定量弁を閉じて計測液体の流れを停止させるものである。
【００３７】
この定量装置と定量弁とは、図３に示す如き構成を有している。すなわち、図３において、引用符号１は定量装置で、２０は定量弁である。
この定量装置１は、内部に被測定流体が流れる配管５を介して定量弁２０と接続されている。例として２１は、復動式トルクシリンダボールバルブで、空気配管を介して、定量装置１からのバルブ開閉信号によりバルブの開閉を行い、被測定流体の供給量を制御している。
フィルタ付き減圧弁２２は、エアフィルターとエアレギュレーターを一体化して構成されている。このフィルタ付き減圧弁２２は、エアフィルターで、空気中の水分やゴミを除き、エアレギュレーターで、力の平衡により弁体を 自動的に調整して一次側（入口側）の高圧を二次側（出口側）において低圧に下げ、 一次側（入口側）の圧力変動があってもその圧力を一定に保つ自動調整弁である。
【００３８】
定量装置１はフィルタ付き減圧弁２２から供給される空気圧を制御し、空気配管を介してバルブ開閉信号として出力し、定量弁２０の開閉を行う。すなわち、フィルタ付き減圧弁２２から供給される空気圧を制御することによって、定量装置１を作動し、配管５内の被測定流体が定量装置１の上流側から下流側に供給される。この配管５内を流れる被測定流体は、定量弁２０によって制御され、一定の量が配管５の上流側から下流側に供給される。
【００３９】
定量装置は、図４、図５に示す如き構成を有している。すなわち、図４において、引用符号１は定量装置で、この定量装置１は、流量計本体３と、この流量計本体３の軸方向に対して直交方向から流量計本体３に取り付けられる計数部４とを備えて構成されている。
【００４０】
定量装置１は、図４に示すように配管５の途中に取り付けられており、この配管５の内部を流れる被測定流体（図示省略）を計量して計数部４の内部で流量に係る演算をすることができるように構成されている。また、定量装置１は、演算により得られた流量を計数部４に設けた供給流量設定カウンタ部１２に表示することができるように構成されている。
また、定量装置１は、計数部４と、計量室を有する流量計本体３にて構成され、流量計本体３は上流側フランジ９及び下流側フランジ１０とを備えて構成されている。
【００４１】
この計数部４には、図４に示す如く、定量値の設定と流路上に配置された流量計本体３を通過した流体供給量をカウントする供給流量設定カウンタ部１２と、配管５の定量弁を開けて流体の供給を開始するスタートボタン１３と、供給流量設定カウンタのカウント値を初期状態に戻すリセットボタン１４と、緊急時に流体の供給を停止するストップボタン１５と、空気配管の空気圧を制御する切替弁と（図示せず）、定量装置を駆動させるための電池（図示せず）とが備わっている。供給流量設定カウンタ部１２は、ＬＣＤ表示部６とＣＰＵ（図示せず）と制御回路（図示せず）で構成されている。
【００４２】
そこで、定量装置による流体の供給（仕込計量）について説明する。
まず、供給する流体の仕込量（定量値）を設定する。この仕込量を設定する場合は、供給流量設定カウンタ部１２のＬＣＤ表示部６が仕込量を表示しているときにリセットする。しかる後、ストップボタン１５を、例えば３秒以上押し続けると、仕込量を表示しているＬＣＤ表示部６が点滅し、供給する流体の仕込量の設定変更が可能となる。
【００４３】
この仕込量を設定する際に、スタートボタン１３によって仕込量の数値の設定を行う。さらに、リセットボタン１４によって仕込量の数値の桁送りを行う。
スタートボタン１３及びリセットボタン１４の操作によって仕込量の設定値の値が、任意の設定値になったら、ストップボタン１５を押して仕込量の設定値のを確定する。このとき、仕込量の設定値が点滅（例えば、約２秒間）し、ＬＣＤ表示部６は、動作モードに移行する。
供給流量設定カウンタ部１２のＬＣＤ表示部６には、仕込量の積算が減算方式の場合は、仕込設定値そのものを表示し、仕込量の積算が加算方式の場合は、「０」を表示する。
減算方式は仕込計量を行う際、定量弁２０を開弁した後、供給流量設定カウンタ部１２のＬＣＤ表示部６に表示される仕込量を流体の供給量に応じて、減算していき「０」になった際に定量弁２０の閉弁を行う。
加算方式は仕込計量を行う際、定量弁を開弁した後、「０」から始まる供給流量設定カウンタ部１２のＬＣＤ表示部６に表示される仕込量を流体の供給量に応じて、加算していき定量値に達した際に定量弁２０の閉弁を行う。
【００４４】
流量設定カウンタ部１２は、内部に付属しているスイッチ（図示せず）を操作することによって、図７に示すＬＣＤ表示推移を行うパラメータ設定モードへ移行することが出来る。
パラメータ設定モードにおいては、スタートボタンは設定数値の変更を行い、ストップボタンは表示遷移、及び、設定数値の確定を行い、リセットボタンは数値の桁送りを行う機能をもつ。
【００４５】
次に、仕込計量開始について説明する。まず、計数部４のリセットボタン１４を押して、供給流量設定カウンタ部１２のＬＣＤ表示部６に表示されている仕込量の数値をリセットしてからスタートボタン１３を押す。
スタートボタン１３が押されると、流体が移送される配管５のラインに設けられる定量弁２０が開き、仕込計量が開始される。
【００４６】
仕込計量が開始されると、定量弁２０が開き配管５内に流体が流れ始める。そして、供給流量設定カウンタ部１２は、配管５内を流れる流量のカウントを開始する。
そして、流体の供給量（仕込量）が、仕込量設定値に達するとを閉弁し、計量を完了する。
【００４７】
次に、リセットボタン１４を押してからスタートボタン１３を押すと、同一量の繰返し計量ができる。また、リセットボタン１４を押さないでスタートボタン１３を押しても計量ができないように、誤操作防止機構（インターロック機構）が備わっている。
【００４８】
さらに、定量弁２０が開き配管５内を流体が流れ始め計量が開始され、仕込計量中にストップボタン１５を押すと、計量を緊急停止させることができる。
この緊急停止したときの流体の供給量（仕込量）の残量をさらに継続して計量したいときは、スタートボタン１３を押すことによって再開させることができる。
【実施例１】
【００４９】
次に、図１を参照して、定量装置の流体の供給（仕込）の制御の実施例１について説明する。
図１には、定量装置の流体の供給（仕込）の制御フローチャートが示されている。
図１においては、ステップ２７０において仕込量の設定が完了し、計量を開始するところから示されている。
【００５０】
まず、ステップ１００において、計数部４のスタートボタン１３の操作（スイッチの投入）を行うと、ステップ１１０において仕込計量が開始され、ステップ２８０において流体が移送される配管５の流路に設けられる定量弁２０が開き、流体の供給（仕込）が開始される。ステップ２８０において、定量弁２０が開き流体の供給（仕込）が開始されると、ステップ１２０において、流体の供給（仕込）は継続する。
【００５１】
このステップ１２０において、流体の供給（仕込）が継続することによって、ステップ１３０において、流体の供給量（仕込量）が予め設定された定量値に達したか否かを判定する。
このステップ１３０において、流体の供給量（仕込量）が予め設定した定量値に達したと判定すると、ステップ１５０において、流体が移送される配管５のラインに設けられる定量弁２０を閉弁する。
このステップ１５０において、流体が移送される配管５のラインに設けられる定量弁２０を閉弁すると、ステップ１６０において、配管５を介した流体の供給（仕込）を終了し、このフローを終了する。
また、ステップ１３０において、流体の供給量（仕込量）が予め設定した定量値に達していないと判定すると、ステップ１４０において、ストップボタン１５の操作があったか否かを判定する。このストップボタン１５を操作するのは、何らかの理由で流体の供給（仕込）を終了するためのものである。
【００５２】
ステップ１４０において、ストップボタン１５の操作があったと判定すると、ステップ１５０において、流体が移送される配管５のラインに設けられる定量弁２０を閉弁する。
このステップ１５０において、流体が移送される配管５のラインに設けられる定量弁２０を閉弁すると、ステップ１６０において、流体の供給（仕込）を終了し、このフローを終了する。
【００５３】
ステップ１４０において、ストップボタン１５の操作がなかったと判定すると、ステップ１７０において、リセットボタン１４の操作があったか否かを判定する。このリセットボタン１４は、何らかの理由で流体の供給（仕込）を終了するためにストップボタン１５を操作しても流体の供給（仕込）が終了しない緊急時に、システムを緊急停止させ流体の供給（仕込）を停止するためのものである。このため、リセットボタン１４の機能は、仕込計量中においては、ストップボタン１５の機能と同一の機能を有している。
何らかの理由で流体の供給（仕込）を終了する場合、通常は、ストップボタン１５を操作して流体の供給（仕込）を停止するが、このストップボタン１５を操作しても、流体の供給（仕込）の停止ができなかった場合の緊急処置として用いるものである。
【００５４】
このステップ１７０において、リセットボタン１４の操作がなかったと判定すると、ステップ１２０に戻る。また、ステップ１７０において、リセットボタン１４の操作があったと判定すると、ステップ１８０において、緊急停止処理を行う。緊急停止処理は、ストップボタン１５と同様、定量弁２０の閉弁を行い流体の供給（仕込）を直ちに停止する処理が行われる。
さらに、ステップ１９０において、警報を発報する。この警報の発報は、リセットボタンによって緊急停止が行われたことから、本来使用されるべきストップボタンが何らかの要因で機能していない（虞がある）ことをオペレータに認知させるためのものである。
このようにリセットボタン１４の操作による緊急停止が行われ、警報が発報されている最中は継続して流体の供給（仕込）を行うことができないようになっている。
【００５５】
ステップ１９０において、警報を発報すると、ステップ２００において、ストップボタン１５の操作があったか否かを判定する。このステップ２００におけるストップボタン１５の操作は、機能が回復したストップボタン１５によって警報の解除を行えるようにしたものである。したがって、ストップボタン１５の操作が機能せず、流体の供給（仕込）を停止できなかったものをリセットボタン１４の操作によってストップボタン１５の代わりに緊急停止を行ったときは、ストップボタン１５の操作が正常に復帰しない限りシステムを再起動させることができない仕組みになっている。これによって、高い安全性を確保している。
このステップ２００において、ストップボタン１５の操作があったと判定すると、ステップ２１０において、警報を解除する。この警報が解除されるということは、ストップボタン１５の機能が正常に復帰したことを示している。
【００５６】
ステップ２１０において、警報が解除されると、ステップ２２０において、流体の供給（仕込）を停止した際の既供給量（仕込量）のカウント値から継続して流体の供給（仕込）を開始することが可能となる。すなわち、ステップ２２０において、仕込計量が再開可能な状態になると、ステップ１００へ戻り、スタートボタン１３の操作を行い、流体の供給（仕込）を停止した際の既供給量（仕込量）のカウント値から継続して流体の供給（仕込）を開始することが可能となっている。
また、ステップ２００において、ストップボタン１５の操作がなかったと判定すると、ステップ２３０において、電源遮断スイッチ（図示せず）が投入されたか否かを判定する。
【００５７】
流体の供給（仕込）において緊急事態が生じた際に、最初、ストップボタン１５を操作して、流体の供給（仕込）を停止することを行うが、ストップボタン１５の機能がダウンした場合（ストップボタン１５を操作しても流体の供給（仕込）を停止しない場合）、リセットボタン１４を操作して緊急停止を行う（但し、このステップではリセットボタン本来の既供給量のカウント値をリセットする機能を無効としている）。しかし、このリセットボタン１４の機能もダウンしてしまう場合（リセットボタン１４を操作しても流体の供給（仕込）が緊急停止しない場合）がある。例えば、劇薬指定の化学薬品とか、原油等、有害、高価な流体を扱っている場合、オーバーフローのような状態になったときに、どうしてもシステムを停止しなければならない。
このような場合の最後の手段として、ステップ２３０以降のフローチャートに示すように、電源遮断スイッチを投入して、システムを強制的に再起動し、流体の供給（仕込）を停止する。
【００５８】
この電源遮断スイッチは、定量装置１の電源をＯＦＦするもので、ステップ２３０においては、電源遮断スイッチが投入されたか否かを判定している。
このステップ２３０において、電源遮断スイッチが投入されていないと判定すると、ステップ２００に戻る。
また、このステップ２３０において、電源遮断スイッチが投入されたと判定すると、ステップ２４０において、システム再起動を行う。
【００５９】
このステップ２４０において、システム再起動を行うと、ステップ２５０において、ストップボタン１５の操作があったか否かを判定する。このステップ２５０においては、ストップボタン１５の操作が行われるまで待機する。
このステップ２５０において、ストップボタン１５の操作があったと判定すると、ステップ２６０において、流体の供給（仕込）計量再開可能状態になる。このステップ２６０において、流体の供給（仕込）計量再開可能状態になると、ステップ１００に戻る。
【実施例２】
【００６０】
次に、図２を参照して、定量装置の流体の供給（仕込）の制御の実施例２について説明する。
図２には、定量装置の流体の供給（仕込）の制御フローチャートが示されている。
図２においては、ステップ２９０において仕込量の設定が完了し、計量を開始するところから示されている。
【００６１】
まず、ステップ３００において、計数部４のＬＣＤ表示部６のスタートボタン１３の操作（スイッチの投入）を行うと、ステップ３１０において、仕込計量が開始され、ステップ４８０において流体が移送される配管５の流路に設けられる定量弁２０が開き、流体の供給（仕込）が開始される。ステップ４８０において、定量弁２０が開き流体の供給（仕込）が開始されると、ステップ３２０において、流体の供給（仕込）は継続する。
【００６２】
このステップ３２０において、流体の供給（仕込）が継続することによって、ステップ３３０において、流体の供給量（仕込量）が初期設定した流体の供給設定量（定量値）に達したか否かを判定する。
このステップ３３０において、流体の供給量（仕込量）が初期設定した流体の供給設定量（定量値）に達したと判定すると、ステップ３５０において、流体が移送される配管５のラインに設けられる定量弁２０を全閉する。
このステップ３５０において、流体が移送される配管５のラインに設けられる定量弁２０を全閉する閉信号が出力されると、ステップ３６０において、配管５を介した流体の供給（仕込）を終了し、このフローを終了する。
また、このステップ３３０において、流体の供給量（仕込量）が初期設定した流体の供給設定量（定量値）に達していないと判定すると、
ステップ３４０において、ストップボタン１５の操作があったか否かを判定する。このストップボタン１５を操作するのは、何らかの理由で流体の供給（仕込計量）を終了するためのものである。
【００６３】
ステップ３４０において、ストップボタン１５の操作があったと判定すると、ステップ３５０において、流体が移送される配管５のラインに設けられる定量弁２０を閉弁する。
このステップ３５０において、流体が移送される配管５のラインに設けられる定量弁２０を閉弁すると、ステップ３６０において、流体の供給（仕込）を終了し、このフローを終了する。
【００６４】
ステップ３４０において、ストップボタン１５の操作がなかったと判定すると、ステップ３７０において、外部に設けられた緊急停止スイッチが操作されたか否かを判断する。この外部緊急停止スイッチは何らかの理由で流体の供給（仕込）を終了するためにストップボタン１５を操作しても流体の供給（仕込）が終了しない緊急時に、システムを緊急停止させ流体の供給（仕込）を停止するためのものである。このため、仕込計量中においては、外部緊急停止スイッチはストップボタン１５の作用と同一の作用を有し、ＣＰＵを経由することなくバルブ閉信号を出力する作用を備えており（例えば、空気配管内の圧力を強制的に大気に開放し、定量弁２０を閉弁させるなど）、何らかの理由で流体の供給（仕込）を終了する場合、通常は、ストップボタン１５を操作して流体の供給（仕込）を停止するが、このストップボタン１５を操作しても、流体の供給（仕込）の停止ができなかった場合の緊急処置として用いるものである。
【００６５】
このステップ３７０において、外部緊急停止スイッチの操作がなかったと判定すると、ステップ３２０に戻る。また、ステップ３７０において、外部緊急停止スイッチの操作があったと判定すると、ステップ３８０において、緊急停止処理を行う。緊急停止処理は、ストップボタン１５と同様、定量弁２０の閉弁を行い、流体の供給（仕込）を直ちに停止する処理が行われる。
【００６６】
このステップ３８０において、流体が移送される配管５のラインに設けられる定量弁２０を閉弁すると、ステップ３９０において、警報を発報する。この警報の発報は、外部緊急停止スイッチによって緊急停止が行われたことから、本来使用されるべきストップボタンが何らかの要因で機能していない（虞がある）ことをオペレータに認知させるためのものである。
このように外部緊急停止スイッチの操作による緊急停止が行われ、警報の発報がされている最中は仕込（流体の供給）計量を再開できないようになっている。
【００６７】
ステップ３９０において、警報を発報すると、ステップ４００において、ストップボタン１５の操作があったか否かを判定する。このステップ４００におけるストップボタン１５の操作は、機能が回復したストップボタン１５によって警報の解除を行えるようにしたものである。これは、機能しなくなったストップボタン１５の操作で、流体の供給（仕込）を停止できなかったものを緊急停止スイッチの操作によってストップボタン１５の代わりに緊急停止を行ったもので、ストップボタン１５の操作が正常に復帰しない限りシステムを再起動させることができない仕組みになっている。これによって、高い安全性を確保している。
このステップ４００において、ストップボタン１５の操作があったと判定すると、ステップ４４０において、警報を解除する。この警報が解除されるということは、ストップボタン１５の機能が正常に復帰したことを示している。
【００６８】
ステップ４００において、ストップボタン１５の操作が行われ、ステップ４０５において警報が解除されると、ステップ４４０において、流体の供給（仕込）を再開することが可能となる。このステップ４４０において、流体の供給（仕込）を再開することが可能となると、ステップ３００に戻る。
また、ステップ４００において、ストップボタン１５の操作がなかったと判定すると、流体の設定供給量（設定仕込量）に到達していないと判定すると、ステップ４１０において、電源遮断スイッチが投入されたか否かを判定する。
【００６９】
流体の供給（仕込）において緊急事態が生じた際に、最初、ストップボタン１５を操作して、流体の供給（仕込）を停止することを行うが、ストップボタン１５の機能がダウンした場合（ストップボタン１５を操作しても流体の供給（仕込）を停止しない場合）、リセットボタン１４を操作して緊急停止を行う（但し、このステップではリセットボタン本来の既供給量のカウント値をリセットする機能を無効としている）。しかし、このリセットボタン１４も何らかの異常により機能しない場合（リセットボタン１４を操作しても流体の供給（仕込）が緊急停止しない場合）があり、例えば、劇薬指定の化学薬品とか、原油等、有害、高価な流体を扱っている場合、オーバーフローのような状態になったときに、どうしてもシステムを停止しなければならない。
このような場合の最後の手段として、外部緊急停止スイッチを投入し、強制的にバルブ閉信号を出力し、流体の供給（仕込）を停止する。
【００７０】
本発明は本発明の主旨を変えない範囲で種々変更実施可能なことは勿論である。
【符号の説明】
【００７１】
１…………定量装置
３…………流量計本体
４…………計数部
５…………配管
６…………ＬＣＤ表示部
９…………上流側フランジ
１０………下流側フランジ
１２………供給流量設定カウンタ部
１３………スタートボタン
１４………リセットボタン
１５………ストップボタン
２０………定量弁
２２………フィルタ付き減圧弁
【図１】
2017015574.tif 000003
【図２】
2017015574.tif 000004
【図３】
2017015574.tif 000005
【図４】
2017015574.tif 000006
【図５】
2017015574.tif 000007
【図６】
2017015574.tif 000008
【図７】
2017015574.tif 000009
【手続補正書】
【提出日】平成28年8月31日(2016.8.31)
【手続補正１】
【補正対象書類名】特許請求の範囲
【補正対象項目名】全文
【補正方法】変更
【補正の内容】
【特許請求の範囲】
【請求項１】
供給する流体の量を設定する供給流量設定カウンタ部と、供給を開始するスタートボタンと、供給する流体の量を設定する供給流量設定カウンタ部の値を初期状態に戻すリセットボタンと、緊急時に流体の供給を停止するストップボタンを備える計数部と流量計本体で構成される定量装置において、
前記定量装置の仕込運転中に緊急停止を行う緊急停止機能を前記リセットボタンに割り付けて、前記定量装置の仕込運転中に、緊急停止操作が必要になった場合、前記ストップボタンの緊急停止操作機能に加えて、前記リセットボタンの緊急停止機能によって緊急停止操作を二重化した
ことを特徴とする定量装置。
【請求項２】
請求項１に記載の発明において、
前記リセットボタンによる緊急停止が行われた場合、警報が発報される
ことを特徴とする定量装置。
【請求項３】
請求項２に記載の発明において、
前記警報発報中は、継続して仕込運転を行うことができないようにした
ことを特徴とする定量装置。
【請求項４】
請求項２に記載の発明において、
前記リセットボタンによる緊急停止が行われた場合、前記ストップボタンを操作することで前記警報を解除できるようにした
ことを特徴とする定量装置。
【請求項５】
請求項２に記載の発明において、
前記定量装置への電源の供給を遮断することによって緊急停止が行われた場合、システムを再起動することで警報を解除する
ことを特徴とする定量装置。
【請求項６】
請求項５に記載の発明において、
前記システムを再起動し前記定量装置の電源を投入した後に、前記ストップボタンを操作し、該ストップボタンの操作が受け付けられた場合に、バルブの閉信号出力を行った後、流体の供給計量再開可能状態へと移行する
ことを特徴とする定量装置。
【請求項７】
請求項１，２，３，４，５又は６に記載の発明において、
前記定量装置の仕込み運転中に、外部に設けられたスイッチを操作することにより、ＣＰＵを経由することなくバルブ閉信号を出力する
ことを特徴とする定量装置。
【請求項８】
供給する流体の量を設定する供給流量設定カウンタ部と、供給を開始するスタートボタンと、供給する流体の量を設定する供給流量設定カウンタ部の値を初期状態に戻すリセットボタンと、緊急時に流体の供給を停止するストップボタンを備える計数部と流量計本体で構成される定量装置において、
前記定量装置の仕込運転中に緊急停止を行う緊急停止機能を前記リセットボタンに割り付けて、該リセットボタンによって緊急停止し警報が発報されている状態において、前記供給流量設定カウンタ部の内部に附属しているスイッチを操作することによってパラメータ設定モードへ移行すると、警報発報時のパラメータを確認できる
ことを特徴とする定量装置。
【請求項９】
請求項８に記載の発明において、
前記ストップボタンの操作を行うことにより、仕込み可能な状態（初期状態）へ移行する
ことを特徴とする定量装置。
【手続補正２】
【補正対象書類名】明細書
【補正対象項目名】００１７
【補正方法】変更
【補正の内容】
【００１７】
上記課題を解決するためになされた請求項１に記載の定量装置は、供給する流体の量を設定する供給流量設定カウンタ部と、供給を開始するスタートボタンと、供給する流体の量を設定する供給流量設定カウンタ部の値を初期状態に戻すリセットボタンと、緊急時に流体の供給を停止するストップボタンを備える計数部と流量計本体で構成される定量装置において、
前記定量装置の仕込運転中に緊急停止を行う緊急停止機能を前記リセットボタンに割り付けて、前記定量装置の仕込運転中に、緊急停止操作が必要になった場合、前記ストップボタンの緊急停止操作機能に加えて、前記リセットボタンの緊急停止機能によって緊急停止操作を二重化したことを特徴としている。
【手続補正３】
【補正対象書類名】明細書
【補正対象項目名】００２１
【補正方法】変更
【補正の内容】
【００２１】
上記課題を解決するためになされた請求項５に記載の定量装置は、請求項２に記載の発明において、
前記定量装置への電源の供給を遮断することによって緊急停止が行われた場合、システムを再起動することで警報を解除することを特徴としている。
【手続補正４】
【補正対象書類名】明細書
【補正対象項目名】００２２
【補正方法】変更
【補正の内容】
【００２２】
上記課題を解決するためになされた請求項６に記載の定量装置は、請求項５に記載の発明において、
前記システムを再起動し前記定量装置の電源を投入した後に、前記ストップボタンを操作し、該ストップボタンの操作が受け付けられた場合に、バルブの閉信号出力を行った後、流体の供給計量再開可能状態へと移行することを特徴としている。
【手続補正５】
【補正対象書類名】明細書
【補正対象項目名】００２４
【補正方法】変更
【補正の内容】
【００２４】
上記課題を解決するためになされた請求項８に記載の定量装置は、供給する流体の量を設定する供給流量設定カウンタ部と、供給を開始するスタートボタンと、供給する流体の量を設定する供給流量設定カウンタ部の値を初期状態に戻すリセットボタンと、緊急時に流体の供給を停止するストップボタンを備える計数部と流量計本体で構成される定量装置において、
前記定量装置の仕込運転中に緊急停止を行う緊急停止機能を前記リセットボタンに割り付けて、該リセットボタンによって緊急停止し警報が発報されている状態において、前記供給流量設定カウンタ部の内部に附属しているスイッチを操作することによってパラメータ設定モードへ移行すると、警報発報時のパラメータを確認できることを特徴としている。
【手続補正６】
【補正対象書類名】明細書
【補正対象項目名】００４３
【補正方法】変更
【補正の内容】
【００４３】
この仕込量を設定する際に、スタートボタン１３によって仕込量の数値の設定を行う。さらに、リセットボタン１４によって仕込量の数値の桁送りを行う。
スタートボタン１３及びリセットボタン１４の操作によって仕込量の設定値の値が、任意の設定値になったら、ストップボタン１５を押して仕込量の設定値を確定する。このとき、仕込量の設定値が点滅（例えば、約２秒間）し、ＬＣＤ表示部６は、動作モードに移行する。
供給流量設定カウンタ部１２のＬＣＤ表示部６には、仕込量の積算が減算方式の場合は、仕込設定値そのものを表示し、仕込量の積算が加算方式の場合は、「０」を表示する。
減算方式は仕込計量を行う際、定量弁２０を開弁した後、供給流量設定カウンタ部１２のＬＣＤ表示部６に表示される仕込量を流体の供給量に応じて、減算していき「０」になった際に定量弁２０の閉弁を行う。
加算方式は仕込計量を行う際、定量弁を開弁した後、「０」から始まる供給流量設定カウンタ部１２のＬＣＤ表示部６に表示される仕込量を流体の供給量に応じて、加算していき定量値に達した際に定量弁２０の閉弁を行う。